(57)【特許請求の範囲】
【請求項１】
一対の耳当部と、
前記一対の耳当部どうしを一体化し使用者の頭頂部に掛けられるヘッドバンドとを備え、
前記一対の耳当部は、
オーディオ信号を音として出力するスピーカを備えたハウジングと、
前記スピーカの外周部に対応する位置にあり、凹部に使用者の耳が挿入された状態で使用者の耳をその外周で覆う環状のイヤーパッドとを備え、
前記ハウジングおよび前記イヤーパッドにより使用者の耳全体を覆うように装着されるヘッドホンであって、
前記凹部には、前記ヘッドバンド側の上部と、前記ヘッドバンド側とは反対側の下部とが含まれ、
前記耳当部を内側から見て前記上部の内径に比べて前記下部の内径の方が大きく形成されたことを特徴とするヘッドホン。
【請求項２】
前記イヤーパッドの内周壁面を構成する前記凹部の周壁面は、曲線によって形成された請求項１記載のヘッドホン。
【発明の詳細な説明】
【技術分野】
【０００１】
本発明は、使用者の耳全体を覆うイヤーパッドを備えたオーバーイヤータイプのヘッドホンに関する。
【背景技術】
【０００２】
オーバーイヤータイプのヘッドホンとして、下記特許文献１に記載の技術が提案されている。特許文献１に記載のヘッドホンはイヤーパッドを備え、イヤーパッドはその中心側に使用者の耳が入る凹部を備える。このヘッドホンは、使用者の耳の外周全体をイヤーパッドで覆うようにして頭部に装着される。イヤーパッドは、使用者の耳の周囲の頭部表面に対向する装着面を備えている。
【０００３】
このヘッドホンでは、イヤーパッドの装着面全体を耳（耳介）の周囲にフィットさせるよう、装着面の一部が緩やかな曲面に形成されている。イヤーパッドの装着面全体が耳の周囲にフィットすることで、耳の周囲の頭部と装着面との間からの音漏れが抑制され、音質の劣化が抑制される。
【先行技術文献】
【特許文献】
【０００４】
【特許文献１】特開２０１３−１３８３５０号公報
【発明の概要】
【発明が解決しようとする課題】
【０００５】
しかしながら、特許文献１に記載のヘッドホンは、音漏れを抑制するためにイヤーパッドの形状を工夫し、これによって音質の劣化を抑制しているのであって、積極的に音質を向上させる構成ではない。
【０００６】
そこで本発明は、音質を向上させ得るヘッドホンの提供を目的とする。
【課題を解決するための手段】
【０００７】
本発明は、オーディオ信号を音として出力するスピーカを備えたハウジングと、前記スピーカの外周部に対応する位置にあり、凹部に使用者の耳が挿入された状態で使用者の耳をその外周で覆う環状のイヤーパッドとを備え、前記ハウジングおよび前記イヤーパッドにより使用者の耳全体を覆うように装着されるヘッドホンであって、前記凹部は上部の前後幅に比べて下部の前後幅の方が大きく形成されたことを特徴としている。
【０００８】
イヤーパッドの凹部は、上部の前後幅に比べて下部の前後幅のほうを大きく形成している。このため、ハウジングおよびイヤーパッドにより使用者の耳全体を覆った際に、耳の周囲空間の量が、耳介上部に比べて前後幅の小さい耳介下部のほうで多く確保され、この周囲空間をスピーカから放出される音を充分に反響させる空間とさせられる。
【０００９】
本発明のヘッドホンでは、前記凹部の周壁は、曲線によって形成された構成を採用できる。
【００１０】
上記構成のように、凹部の周壁が曲線によって形成されていれば、周壁が耳に接触した際に装着感が良好である。
【発明の効果】
【００１１】
本発明のヘッドホンによれば、イヤーパッドの凹部をその上部の前後幅に比べて下部の前後幅のほうを大きく形成した構成により、耳の周囲空間の量が、耳介上部に比べて前後幅の小さい耳介下部のほうで多く確保され、この周囲空間を、スピーカから放出される音を充分に反響させる空間として、音質を向上させることができる。
【図面の簡単な説明】
【００１２】
【図１】本発明の一実施形態に係るヘッドホンの全体斜視図である。
【図２】同平面図である。
【図３】同一部破断正面図である。
【図４】同イヤーパッドを取除いた耳当部の斜視図である。
【図５】同耳当部のイヤーパッドの凹部の形状を表す側面図である。
【図６】同耳当部のイヤーパッドの凹部に耳が入り込んだ状態の、耳当部の断面図である。
【図７】同耳当部のイヤーパッドの凹部と耳との関係を表す概略側面図である。
【発明を実施するための形態】
【００１３】
以下、本発明の一実施形態に係るヘッドホンを、図面を参照しつつ説明する。本実施形態に係るヘッドホンは、使用者の耳全体を覆うイヤーパッドを備えたオーバーイヤータイプである。
【００１４】
図１および図２に示すように、ヘッドホン１は、一対の耳当部２，２と、耳当部２，２どうしを一体化し使用者の頭頂部に掛けられるヘッドバンド３とを備える。このうち、ヘッドバンド３は一般的な構成を備えているので、概略の構成を説明すると、ヘッドバンド３の全体は湾曲しており、湾曲方向に沿って伸縮自在に構成されている。ヘッドバンド３の全体は、可撓性を備えている。耳当部２，２は左右対称であり、それぞれ同一の構成を備えている。このため一方の耳当部２に係る説明を他方の耳当部２の説明に兼用する。
【００１５】
図３に示すように、耳当部２は、ヘッドバンド３の端部に設けられている。耳当部２は、スピーカ４を備えたハウジング５と、イヤーパッド６とを備える。スピーカ４は一般的な構成を備え、オーディオ信号を音として出力するよう構成されている。スピーカ４は円盤状に形成されている。ハウジング５は、ヘッドバンド３の端部に取付けられて内側を開放した外側部５Ａと、外側部５Ａの開放面を覆う内側部５Ｂとの組合せにより構成される。ここで内側とは、ヘッドホン１を装着する使用者側（頭部側）であり、外側は使用者から離れる方向である。
【００１６】
外側部５Ａは、ヘッドバンド３の端部に支軸７回りに回動自在に取付けられ、椀状に形成されている。内側部５Ｂは、円盤状に形成されている。スピーカ４は、内側部５Ｂの裏面側にあって、該裏面に沿った方向に配置されている。スピーカ４の外側には、外側部５Ａと内側部５Ｂとの間の外側音響空間８が形成されている。
【００１７】
内側部５Ｂにおいて、スピーカ４と対向する領域およびその周辺は、内側が凸となるよう緩やかに湾曲した湾曲部１０とされている。湾曲部１０の径方向外方には、平坦な環状に形成された環状部１１が一体的に形成されている。内側部５Ｂの湾曲部１０には、複数の放音孔が形成されている。放音孔は、図３および図４に示すように、湾曲部１０の中心位置に配置された円形放音孔１２と、円形放音孔１２を中心に同心上に配置された複数の円弧状放音孔１３とを備える。
【００１８】
円弧状放音孔１３のさらに径方向外側（環状部１１）に、複数の反射音通過孔１４が形成されている。反射音通過孔１４は、それぞれ同径の円形に形成されている。反射音通過孔１４は、円形放音孔１２を中心に同心上に配置されている。反射音通過孔１４は、後述するイヤーパッド６の周壁面１６の近傍に配置されている。
【００１９】
ヘッドホン１は、一般的な材質からなるイヤーパッド６を備える。イヤーパッド６は、ハウジング５に対し使用者の頭部側である内側、且つスピーカ４の外周部に対応する位置であるハウジング５の外周部にあって、使用者の耳Ｅをその外周で覆うよう構成されている（図６、図７参照）。イヤーパッド６は中心側に使用者の耳Ｅを入れる凹部６Ａを有して、環状に形成される。イヤーパッド６は、ハウジング５の外周部に形成された環状の保持片１５に着脱自在に取付けられる。
【００２０】
図５に示すように、凹部６Ａは、上部ほど後方に向けて傾斜するよう形成されている。イヤーパッド６の内周壁面である凹部６Ａの周壁面１６において、上部側と下部側とでは、上部側に比べて下部側のほうの前後幅が大きく形成されている。図６に示すように、凹部６Ａの周壁面１６は、内外方向途中部分１７、内外方向途中部分１７に対して内側に形成された内側壁面１８、および内外方向途中部分１７に対して外側に形成された外側壁面１９を備える。
【００２１】
内側壁面１８は、内外方向途中部分１７に対して内側ほど大径になる傾斜面とされている。外側壁面１９は、内外方向途中部分１７に対して外側ほど大径になる傾斜面とされている。すなわち、周壁面１６は、内外方向途中部分１７を基準に内側外側方向に傾斜することで広がっている。
【００２２】
耳当部２を内側から見て、すなわち内外側方向に投影させて、凹部６Ａの周壁面１６を周方向に結んでなる周壁線（内外方向途中部分１７の周壁線に相当する）では、上部が径の小さい大曲率線部２０、下部が大曲率線部２０に比べて径の大きい小曲率線部２１である。大曲率線部２０および小曲率線部２１の前後端部どうしが、直線部２２で接続されている。大曲率線部２０および小曲率線部２１を合計した長さに比べて、直線部２２の長さは極めて短い。凹部６Ａの周壁面１６は、大曲率線部２０、直線部２２、および小曲率線部２１の連続により、下方ほど順次前後幅が大きくなるよう形成されている。
【００２３】
図５に示すように、耳当部２を内側から見て、スピーカ４の外周縁（湾曲部１０の外周縁）に対して大曲率線部２０は上方へ延長するよう突出している。スピーカ４の外周縁に対して小曲率線部２１は下方へ延長するよう突出している。直線部２２はスピーカ４の外周縁に対して、スピーカ４の径方向内側にある。
【００２４】
このように凹部６Ａの周壁面１６の周壁線は、曲線と直線の組合わせで形成されているが、直線部２２に代えてこれを緩やかな曲線部として、全て曲線で形成される構成であってもよい。また、イヤーパッド６の内面２３は平坦面に形成されて、頭部において耳Ｅの周囲にフィットし易くなっている。
【００２５】
上記構成を備えたヘッドホン１では、使用者が必要に応じて耳当部２，２どうしを離間させるようヘッドバンド３をその弾性に抗して広げる。そして使用者は、耳当部２，２の凹部６Ａに耳Ｅが入るよう、また、ヘッドバンド３が頭部に掛るようにヘッドホン１を装着する。しかも、耳当部２，２は支軸７を介してヘッドバンド３に対して回動可能であるから、ヘッドホン１を、使用者の頭部の大きさや形に応じるよう装着することができる。周壁面１６は、大曲率線部２０および小曲率線部２１を備えて、ほとんどが曲線により形成されていることから、装着がし易い。また、周壁面１６の上部における前後幅は特別に拡大させていないことからも、装着時における耳当部２，２の装着性を損なわない。
【００２６】
凹部６Ａの周壁面１６は、内外方向途中部分１７を基準に内側外側方向に傾斜することで広がっている。特に、内外方向途中部分１７を基準に外側に傾斜することで広がっている構成によれば、凹部６Ａに耳Ｅが入り込んだ状態で、耳Ｅが内外方向途中部分１７に対して外側に入り込むことにより、耳Ｅの耳介Ｅ１が、周壁面１６のうち径の最も小さい内外方向途中部分１７に保持され易い。このため、耳当部２，２が支軸７回りに回動自在であっても、耳当部２，２を耳Ｅに対して安定させられる。
【００２７】
凹部６Ａに耳Ｅが入ると、ハウジング５およびイヤーパッド６により、耳Ｅの全体が覆われる。凹部６Ａは、使用者の耳Ｅの耳介尖（耳介の上部）側に相当する上部の前後幅に比べて、耳介尾（耳介の下部）側に相当する下部の前後幅の方が大きく形成されている。
【００２８】
このため、ハウジング５およびイヤーパッド６により使用者の耳全体を覆った際に、図７に示すように、耳Ｅの外耳道に近い耳介尾側のほうにおいて、耳Ｅの周囲空間９の量（体積）が、耳介尖側に比べて多く確保される。この周囲空間９を、スピーカ４から放出される音を充分に反響させる空間とすることができる。特に、ハウジング５およびイヤーパッド６により囲まれた空間においては、スピーカ４から放出される音のうち、低音が空間にある空気を振動させることから、低音を響かせる領域として優れる。
【００２９】
大曲率線部２０は、スピーカ４の外周縁に対して上方へ延長するよう突出し、小曲率線部２１は、スピーカ４の外周縁に対して下方へ延長するよう突出し、直線部２２はスピーカ４の外周縁に対して内側にある。また、凹部６Ａの周壁面１６では、内外方向途中部分１７が、内側壁面１８および外側壁面１９に対して小径に形成されている。このように、凹部６Ａの周壁面１６の形状は変化に富んでいる。そのうえで、凹部６Ａの周壁面１６において、上部側と下部側とでは、上部側に比べて下部側のほうの前後幅が大きく形成されているから、スピーカ４から放出される音を反響させ易い。このため、特別に凹部６Ａの全体を大きくしたり、イヤーパッド６やスピーカ４を大型化したりすることなく、心地好い音響が得られる。
【００３０】
なお、本実施形態におけるヘッドホン１では、スピーカ４から放出された音の一部は、直接的に円形放音孔１２、円弧状放音孔１３を通過して耳Ｅに入る。また、スピーカ４から放出された音の一部は、耳Ｅ側で反射して円形放音孔１２、円弧状放音孔１３を通過して外側音響空間８に至り、外側部５Ａの外壁５ａで反射して外側音響空間８で響き、反射音通過孔１４を通過して再び耳Ｅに入る。
【００３１】
ヘッドホン１はこのような外壁５ａ、外側音響空間８、反射音通過孔１４を備えていることから、良質な音響が得られ、しかも凹部６Ａの周壁面１６において、上部側と下部側とでは、上部側に比べて下部側のほうの前後幅が大きく形成されていることで、スピーカ４から放出される音を反響させて、優れた音質とさせられる。
【００３２】
本発明は上記実施形態に限定されず、本発明の主旨を逸脱しない範囲で種々変形が可能である。その他、各部の具体的構成についても上記実施形態に限られない。例えば、上記実施形態では、凹部６Ａの周壁面１６は、凹部６Ａの周壁面１６は、大曲率線部２０、直線部２２、および小曲率線部２１の連続により、下部ほど順次前後幅が大きくなるよう形成された場合を挙げた。しかしながら、順次前後幅を大きくするのではなく、周壁面１６の下部の前後幅を急激に拡大させた構成であってもよい。
【符号の説明】
【００３３】
１…ヘッドホン、２，２…耳当部、３…ヘッドバンド、４…スピーカ、５…ハウジング、５Ａ…外側部、５Ｂ…内側部、５ａ…外壁、６…イヤーパッド、６Ａ…凹部、９…周囲空間、８…外側音響空間、１０…湾曲部、１１…環状部、１２…円形放音孔、１３…円弧状放音孔、１４…反射音通過孔、１６…周壁面、１７…内外方向途中部分、１８…内側壁面、１９…外側壁面、２０…大曲率線部、２１…小曲率線部、２２…直線部
【図１】
0006682285.tif 000002
【図２】
0006682285.tif 000003
【図３】
0006682285.tif 000004
【図４】
0006682285.tif 000005
【図５】
0006682285.tif 000006
【図６】
0006682285.tif 000007
【図７】
0006682285.tif 000008